(57)【要約】【課題】モータの駆動が不能な場合、車室内から開閉体を簡単に開けることができるようにする。【解決手段】開閉体に固定されるベース手段８と、ベース手段８、15に枢支され、開閉体の閉鎖位置で車体に設けられるストライカと噛合可能なラッチ10と、ベース手段８、15に枢支され、ラッチ10に係合してその回動を阻止するラチェットと、適宜の操作スイッチの操作により駆動可能なモータと、ベース手段８、15に枢支され、モータの動力により、ラチェットをラッチ10から離脱するリリース方向へ作動させ得るように作動可能なオープンレバーと、開閉体が閉鎖位置にあるとき、ベース手段８、15を通して車室内に露呈し、車室内から操作することにより、手動でラチェットをリリース方向へ作動させ得るエマージェンシ操作部112を備える。【選択図】図６
2008013935.tif 000002
【特許請求の範囲】
【請求項１】
車体にヒンジ軸回りに開閉可能に支持される開閉体を閉鎖位置に保持可能な車両用ドアラッチ装置において、
前記車体または前記開閉体のいずれか一方に固定されるベース手段と、
前記ベース手段に枢支され、前記開閉体の閉鎖位置で前記車体または前記開閉体のいずれか他方に設けられるストライカと噛合可能なラッチと、
前記ベース手段に枢支され、前記ラッチに係合してその回動を阻止するラチェットと、
適宜の操作スイッチの操作により駆動可能なモータと、
前記ベース手段に枢支され、前記モータの動力により、前記ラチェットを前記ラッチから離脱するリリース方向へ作動させ得るように作動可能なオープンレバーと、
前記開閉体が閉鎖位置にあるとき、前記ベース手段を通して車室内に露呈し、前記車室内から操作することにより、手動で前記ラチェットをリリース方向へ作動させ得るエマージェンシ操作部を備えたことを特徴とする車両用ドアラッチ装置。
【請求項２】
前記エマージェンシ操作部を、前記ラチェットに一体的に設けたことを特徴とする請求項１記載の車両用ドアラッチ装置。
【請求項３】
前記オープンレバーが前記エマージェンシ操作部に当接して、前記ラチェットをリリース方向へ作動させるようにしたことを特徴とする請求項２記載の車両用ドアラッチ装置。
【請求項４】
前記オープンレバーと前記エマージェンシ操作部が互いに当接する部分に、弾性部材を設けたことを設けたことを特徴とする請求項３記載の車両用ドアラッチ装置。
【請求項５】
前記エマージェンシ操作部に、棒状の工具を差し込み可能な凹部を設けたことを特徴とする請求項１〜４のいずれかに記載の車両用ドアラッチ装置。
【請求項６】
前記エマージェンシ操作部を、前記ベース手段よりも突出しないように設定したことを特徴とする請求項１〜５のいずれかに記載の車両用ドアラッチ装置。
【発明の詳細な説明】
【技術分野】
【０００１】
本発明は、車体にヒンジ軸回りに開閉可能に支持される開閉体を閉鎖位置に保持可能な車両用ドアラッチ装置に関する。
【背景技術】
【０００２】
車体のルーフ後部にヒンジ軸回りに上下方向へ開閉可能に枢支されるバックドアを閉鎖位置に保持するドアラッチ装置においては、バックドアに取り付けられ、車体側に設けられたストライカに噛合することによりバックドアを閉鎖位置に保持する噛合部と、モータの動力により、噛合部とストライカとの噛合を解除して、バックドアの開扉を可能とする駆動部とを備えている。また、電気系統の故障等により駆動部のモータの駆動が不能になった非常時には、バックドア内に設けられた操作部を操作することによって、バックドアを開けることができるようにしたものもある（例えな、特許文献１参照）。
【特許文献１】特開２００５−６８７２２号公報
【発明の開示】
【発明が解決しようとする課題】
【０００３】
上記特許文献１に記載されているドアラッチ装置においては、電気系統の故障等によりモータの駆動が不能な場合、操作部を操作するためには、車室内からバックドアの車内側トリムに設けられた蓋体を開けて、バックドア内で行わなければならず、操作が極めて面倒である問題を有する。
【０００４】
本発明は、上述のような従来の課題に鑑み、モータの駆動が不能な場合、車室内から開閉体を簡単に開けることができるようにした車両用ドアラッチ装置を提供することを目的としている。
【課題を解決するための手段】
【０００５】
本発明によると、上記課題は、次のようにして解決される。
（１）車体にヒンジ軸回りに開閉可能に支持される開閉体を閉鎖位置に保持可能な車両用ドアラッチ装置において、前記車体または前記開閉体のいずれか一方に固定されるベース手段と、前記ベース手段に枢支され、前記開閉体の閉鎖位置で前記車体または前記開閉体のいずれか他方に設けられるストライカと噛合可能なラッチと、前記ベース手段に枢支され、前記ラッチに係合してその回動を阻止するラチェットと、適宜の操作スイッチの操作により駆動可能なモータと、前記ベース手段に枢支され、前記モータの動力により、前記ラチェットを前記ラッチから離脱するリリース方向へ作動させ得るように作動可能なオープンレバーと、前記開閉体が閉鎖位置にあるとき、前記ベース手段を通して車室内に露呈し、前記車室内から操作することにより、手動で前記ラチェットをリリース方向へ作動させ得るエマージェンシ操作部を備える。
【０００６】
（２）上記(１)項において、前記エマージェンシ操作部を、前記ラチェットに一体的に設ける。
【０００７】
（３）上記(２)項において、前記オープンレバーが前記エマージェンシ操作部に当接して、前記ラチェットをリリース方向へ作動させるようにする。
【０００８】
（４）上記(３)項において、前記オープンレバーと前記エマージェンシ操作部が互いに当接する部分に、弾性部材を設ける。
【０００９】
（５）上記(１)〜(４)項のいずれかにおいて、前記エマージェンシ操作部に、棒状の工具を差し込み可能な凹部を設ける。
【００１０】
（６）上記(１)〜(５)項のいずれかにおいて、前記エマージェンシ操作部を、前記ベース手段よりも突出しないように設定する。
【発明の効果】
【００１１】
本発明によると、次のような効果を奏することができる。
請求項１記載の発明によると、開閉体が閉鎖位置にあるとき、ベース手段を通して車室内に露呈し、車室内から操作することにより、手動でラチェットをリリース方向へ作動させ得るエマージェンシ操作部を設けたことにより、モータの動力によりラチェットをリリース作動させることが不能になった場合、車内側のトリム等を外すことなく、エマージェンシ操作部を簡単に操作することができ、開閉体を迅速に開けることができる。
【００１２】
請求項２記載の発明によると、エマージェンシ操作部を、ラチェットに一体的に設けたことにより、部品数を削減して構成の簡素化を図ることができる。
【００１３】
請求項３記載の発明によると、オープンレバーがエマージェンシ操作部に当接して、ラチェットをリリース方向へ作動させるようにしたことにより、エマージェンシ操作部が、非常時における操作機能とオープンレバーの作動をラチェットに伝達する伝達機能の２つの機能を有することができる。
【００１４】
請求項４記載の発明によると、オープンレバーとエマージェンシ操作部が互いに当接する部分に、弾性部材を設けたことにより、オープンレバーがエマージェンシ操作部に当接する際の打音を緩和することができる。  
【００１５】
請求項５記載の発明によると、エマージェンシ操作部に、棒状の工具等を差し込み可能な凹部を設けたことにより、非常時に、工具を用いて、エマージェンシ操作部を簡単に操作することができる。
【００１６】
請求項６記載の発明によると、エマージェンシ操作部を、ベース手段よりも突出しないように設定したことにより、エマージェンシ操作部が誤って操作されることを防止することができる。
【発明を実施するための最良の形態】
【００１７】
以下、本発明に係わる一実施形態を、図面に基づいて説明する。図１は、本発明を適用したバックドアの下部の縦断側面図、図２は、車両の後方から見たラッチ装置の正面図、図３は、車両の前方から見たラッチ装置の裏面図、図４は、本発明に係わるラッチ装置の分解斜視図、図５は、斜め後方から見たラッチ装置の斜視図、図６は、斜め前方から見たラッチ装置の斜視図、図７は、図２におけるVII−VII線に沿う横断面図、図８は、図３におけるVIII−VIIIに沿う横断面図、図９は、図３におけるIX−IX線に沿う横断面図、図１０、１１は、ベースプレート、カバーを外した状態のラッチ装置の正面図、図１２は、要部の拡大裏面図、図１３は、要部の拡大正面図、図１４は、ベースプレート、カバーを外した状態のラッチ装置の斜視図、図１５は、ベースプレートを外した状態のラッチ装置の斜視図、図１６は、ハウジングを外した状態のラッチ装置の斜視図である。
【００１８】
以下の説明においては、図１における左方を車両の「前方」とし、右方を車両の「後方」とし、図２における図面奥、図３における図面手前をラッチ装置の「前方」とし、図２における図面手前、図３における図面奥をラッチ装置の「後方」とする。
【００１９】
図１〜３に示すように、ラッチ装置(１)は、車体(２)のルーフ後部に左右方向を向くヒンジ軸（図示略）回りに上下方向へ開閉可能に支持される開閉体をなすバックドア(３)を閉鎖位置に保持する噛合部(６)及びこの噛合部(６)を解除作動させるための駆動部(７)を備え、バックドア(３)のインナパネル(31)の下部に、噛合部(６)がバックドア(３)から露出し、かつ駆動部(７)がバックドア(３)の内部に収容されるように装着される。
【００２０】
なお、図１に示すラッチ装置(１)の取付例では、これを斜め上下方向に傾斜させて取付けているが、バックドア(３)の形状や閉止方向、後述のストライカ(４)の取付位置等によっては、例えば上下方向を向くように取付ける場合もある。
【００２１】
噛合部(６)は、車体(２)に固着された側面視ほぼ倒立Ｕ字型のストライカ(４)の係合杆(41)に噛合することによって、バックドア(３)をほぼ垂直状態の閉鎖位置（図１参照）に保持する。また、バックドア(３)のインナパネル(31)から突出する噛合部(６)の外側は、見栄え向上を図るための合成樹脂製のカバー(61)により覆われる。なお、図面の説明の便宜上、カバー(61)は、図１、２、４及び図７のみに示し、他の図については省略する。
【００２２】
図４に示すように、噛合部(６)は、バックドア(３)のインナパネル(31)に固定されるベース手段をなす金属製のベースプレート(８)と、後述のハウジング(15)の下部と、金属製のバックプレート(９)と、ストライカ(４)と噛合可能なラッチ(10)と、ラッチ(10)に係合可能なラチェット(11)と、ラッチ(10)をオープン方向（図２、１０及び図１１において時計方向）へ付勢するラッチ用スプリング(12)と、ラチェット(11)を係合方向（図２、１０及び図１１において反時計方向）へ付勢するラチェット用スプリング(13)と、ラチェット(11)をリリース方向（図２、１０及び図１１において時計方向）へ作動可能なオープンレバー(14)と、ラッチ(10)の回動位置を検出する回動位置検出センサ(23)を含む。
【００２３】
駆動部(７)は、ベース手段をなす合成樹脂製のハウジング(15)の上部と、ハウジング(15)の上部後面を閉塞する合成樹脂製のカバー(16)と、モータ(17)と、モータ(17)の回転軸(171)に固着されたウォーム(18)と、ウォーム(18)に噛合するウォームホイール(19)を含む。
【００２４】
ベースプレート(８)は、バックドア(３)のインナパネル(31)から突出する基部(83)の上部に設けられた左右の被取付部(81)(82)が、後述のボルト(５)及びボルト(５)が螺合する雌ねじ部(81a)(81b)(82a)を含む締結手段によりインナパネル(31)の下部の取付面（バックドア(３)の開閉方向(Ａ)（図１参照）に対して直交する面）(32)に締結されることにより、バックドア(３)に固定される。基部(83)の中央下部には、バックドア(３)の閉鎖時に、ストライカ(４)が進入するストライカ進入溝(84)がストライカ進入方向(Ｂ)（バックドア(３)の閉方向に相対する方向）に沿って設けられている。
【００２５】
左右の被取付部(81)(82)は、バックドア(３)の開閉方向(Ａ)に直交する平面を有し、かつ左右方向、すなわちヒンジ軸のヒンジ軸線方向(Ｃ)に沿って互いに所定量離れるように形成される。左右の被取付部(81)(82)には、バックドア(３)の開閉方向(Ａ)、すなわちバックドア(３)の取付面(32)及び被取付部(81)(82)の平面に直交する方向を向くボルト(５)が螺合する雌ねじ部(81a)(81b)(82a)が設けられている。
【００２６】
ドアラッチ装置(１)をバックドア(３)に固定するには、ベースプレート(８)の左右の被取付部(81)(82)をバックドア(３)の内部からインナパネル(31)の取付面(32)に当てた状態で、ボルト(５)をインナパネル(31)の取付面(32)に設けた取付孔（図示略）に差し込んで、各雌ねじ部(81a)(81b)(82a)に螺合して左右の被取付部(81)(82)をインナパネル(31)の取付面(32)に締結する。
【００２７】
主に図７、図８に示すように、左側（図８においては右側）の被取付部(81)は、右側（図８においては左側）の被取付部(82)より大きく形成される。左側の被取付部(81)には、２個の雌ねじ部(81a)(81b)が設けられ、右側の被取付部(82)には、左側の被取付部(81)より少ない１個の雌ねじ部(82a)が設けられる。
【００２８】
なお、本実施例においては、左側の被取付部(81)の雌ねじ部の数を、右側の被取付部(82)の雌ねじ部の数より多くしているが、本発明は、これに特定されるものではなく、左右の被取付部(81)(82)のそれぞれの雌ねじ部の数を同じにしても良い。また、図４に２点鎖線で示すように、ベースプレート(８)における左右の被取付部(81)(82)を繋ぐ部分(87)に上方へ向く折曲片(88)を設けても良い。この折曲片(88)を設けることにより、ベースプレート(８)の剛性をより向上させることができる。また、被取付部(82)を、被取付部(81)より小さく形成しているが、被取付部(81)と同等の大きさにした場合には、ベースプレート(８)の剛性をより向上させることができる。
【００２９】
図７、８に示すように、左側の被取付部(81)の雌ねじ部(81a)及び右側の被取付部(82)の雌ねじ部(82a)は、ストライカ進入方向(Ｂ)から見た平面視で、それらの中心同士、すなわち左右の被取付部(81)(82)における締結手段の中心同士を結ぶ直線(L1)がヒンジ軸線方向(Ｃ)と平行になるように位置設定される。左側の被取付部(81)の雌ねじ部(81b)は、直線(L1)から前方へ所定量オフセットした位置に設定される。
【００３０】
なお、本実施例における締結手段は、左右の被取付部(81)(82)に設けた雌ねじ部(81a)(81b)(82a)及び雌ねじ部(81a)(81b)(82a)に螺合するボルト(５)を含むものとするが、本発明は、これに特定されるものではない。例えば、締結手段を、左右の被取付部(81)(82)に溶接により固着したウェルドボルト及びこのウェルドボルトに螺合するナットを含むもの、左右の被取付部(81)(82)に溶接により固着したウェルドナット及びこのウェルドナットに螺合するボルトを含むもの、または、被取付部(81)(82)に設けた孔部及び孔部に螺合するタッピングスクリューを含むもの、或いは、インナパネル(31)の取付面(32)に溶接により固着したウェルドボルト及び被取付部(81)(82)に設けた取付孔に挿入されるウェルドボルトに螺合するナットを含むものとしても良い。
【００３１】
ベースプレート(８)の基部(83)の両側部には、各被取付部(81)(82)に連なり、かつ基部(83)の面に対してほぼ直角に前方へ折曲した左右の側片(85)(85)が設けられている。この左右の側片(85)は、基部(83)の剛性を高める効果を有する。
【００３２】
ハウジング(15)は、下部後面がベースプレート(８)の基部(83)に対向し、かつベースプレート(８)の左右の側片(85)(85)間に嵌合するように、ベースプレート(８)の前面に固定される。
【００３３】
ハウジング(15)の中央下部には、ベースプレート(８)のストライカ進入溝(84)に対して前後に重合するストライカ進入溝(151)が形成されている。ハウジング(15)の後面における同一平面には、ラッチ(10)が組み付けられるラッチ組付け領域部(152)と、ラチェット(11)が組み付けられるラチェット組付け領域部(153)と、モータ(17)が組み付けられるモータ組付け領域部(154)と、ウォームホイール(19)が組み付けられるウォームホイール組付け領域部(155)と、ラチェット用スプリング(13)及び回動位置検出センサ(23)が組み付けられるスプリング組付け領域部(156)が形成される。
【００３４】
ラッチ組付け領域部(152)は、ハウジング(15)の左側下部に形成される。モータ組付け領域部(154)は、ラッチ組付け領域部(152)の上方に形成される。ラチェット組付け領域部(153)は、ハウジング(15)の右側下部、すなわちラッチ組付け領域部(152)の右方に形成される。ウォームホイール組付け領域部(155)は、ラチェット組付け領域部(153)の上方、すなわちモータ組付け領域部(154)の右方に形成される。なお、スプリング組付け領域部(156)は、モータ(17)を後述のように傾けて配置することによって生成され、モータ(17)とラッチ(10)との間にあって、正面視で、ほぼ三角形状に形成される。
【００３５】
主に図１０、１１に示すように、各ストライカ進入溝(84)(151)をストライカ進入方向(Ｂ)に沿って通る直線を境界線(L2)とし、ベースプレート(８)及びハウジング(15)における境界線(L2)の左側（一側方側）を第１領域部側(15A)とし、また、同じく右側（他側方側）を第２領域部側(15B)とした場合、第１領域部側(15A)は、ラッチ組付け領域部(152)と、モータ組付け領域部(154)と、スプリング組付け領域部(156)と、２本のボルト(５)によりバックドア(３)の取付面(32)に固定される左側の被取付部(81)を含む。第２領域部側(15B)は、ラチェット組付け領域部(153)と、ウォームホイール組付け領域部(155)と、１本のボルト(５)によりバックドア(３)の取付面(32)に固定される右側の被取付部(82)を含む。
【００３６】
ラッチ(10)が配置される第１領域部側(15A)に設けられる左側の取付片(81)を、２本のボルト(５)によりバックドア(３)の取付面(32)に締結固定することにより、左側の取付片(81)を取付面(32)に強固に固定することができる。また、左側の取付片(81)をバックドア(３)の取付面(32)に固定するボルト(５)を、ラチェット(11)が配置される第２領域部側(15B)に設けられる右側の被取付部(82)を取付面(32)に固定するボルト(５)の数より多くしたことにより、荷重が作用しやすい第１領域部側(15A)の左側の被取付部(81)を強固に取付面(32)に固定することができる。
【００３７】
ハウジング(15)におけるラチェット組付け領域部(153)とウォームホイール組付け領域部(155)との間には、ウォーム(18)の先端部の全周を回転可能に支持するラジアル軸受部(157)が一体的に形成されている。主に図９、１３に示すように、ラジアル軸受部(157)は、ウォーム(18)の先端部が遊嵌する凹部(157a)と、凹部(157a)に対して斜め方向に対向する押さえ部(157b)とを含む。ハウジング(15)における押さえ部(157b)に対向する面には、押さえ部(157b)を合成樹脂成型する際、型抜きのための抜き孔(157c)（図９参照）が設けられている。
【００３８】
ウォーム(18)の先端部は、凹部(157a)と押さえ部(157b)との間に軸線方向に差し込まれることによって、ラジアル軸受部(157)に回転可能に支持される。このようにウォーム(18)の先端部をラジアル方向に支持することにより、ウォーム(18)のラジアル方向のがた付きを抑止することができる。この結果、後述のように、オープンレバー(14)とウォーム(18)とが互いに交差するような位置関係で各部品を配置した場合、オープンレバー(14)が邪魔して、カバー(16)の一部によって、ウォーム(18)の先端部をラジアル方向に押さえることができない状態にあっても、凹部(157a)と押さえ部(157b)とによってウォーム(18)の先端部をラジアル方向のガタ付きを抑止して、回転可能に支持することができる。
【００３９】
バックプレート(９)は、ハウジング(15)の前面下部に固定され、ハウジング(15)と共にベースプレート(８)に固定されることにより、ベースプレート(８)の左右の側片(85)(85)間に嵌り込んだ状態で、その両側部に設けられた側方へ突出する左右の張出部(92)(92)が、ベースプレート(８)の左右の側片(85)の前縁に設けられた凹部(86)に上下方向（ストライカ進退方向（ストライカ進入方向(Ｂ)とその反対方向））に係合可能に配置される。バックプレート(９)の下部には、ハウジング(15)のストライカ進入溝(151)の両側縁に設けられたフランジ部(151a)が嵌合するストライカ進入溝(91)が設けられている。
【００４０】
バックプレート(９)の上部、すなわちストライカ進入溝(91)より上側（奥側）には、枢軸方向(Ｄ)から見た正面視で、ストライカ進入溝(91)の延長線（境界線(L2)と同一）と交差するように、ヒンジ軸線方向(Ｃ)に沿って延設されて、前方（枢軸方向(Ｄ)）へほぼ直角に折曲したフランジ部(93)が設けられている。フランジ部(93)の前端には、上方へほぼ直角に折曲した押え片(94)が設けられている。
【００４１】
フランジ部(93)は、バックプレート(９)におけるストライカ進入溝(91)の奥部周辺の剛性を高める効果を有するとともに、主に、図３、６及び図８に示すように、ベースプレート(８)の左右の側片(85)(85)間に嵌り込んで、その左右（ヒンジ軸線方向(Ｃ)）の両側縁がベースプレート(８)の左右の側片(85)(85)の内面に当接または近接している。
【００４２】
ラッチ装置(１)に対して、ベースプレート(８)及びバックプレート(９)等に変形を生じさせるような開方向の荷重が作用した場合、バックプレート(９)におけるフランジ部(93)の両側縁と、ベースプレート(８)における両側片(85)(85)との内面同士が互いに当接し合うことによって、ラッチ(10)とラチェット(11)の噛合が外れやすくなるような、バックプレート(９)及びベースプレート(８)の変形を効果的に抑止して、ラッチ(10)とラチェット(11)との噛合強度を向上させることができる。また、フランジ部(93)を設けたことにより、枢軸方向(Ｄ)（バックプレート(９)の板厚方向）の変形を抑止して、ラッチ(10)とラチェット(11)との噛合強度を向上させることができる。
【００４３】
また、バックプレート(９)の張出部(92)が、ベースプレート(８)の凹部(86)に対して上下方向に係合して、バックプレート(９)とベースプレート(８)とが互いに上下方向へずれるような変形を抑止することができる。この結果、ラッチ(10)及びラチェット(11)を支持するためのベースプレート(８)及びバックプレート(９)の変形を最小限に押させることができ、ラッチ(10)とラチェット(11)との噛合強度を向上させることができる。
【００４４】
押え片(94)は、その後面がハウジング(15)の前面に当接して、そのほぼ中央部に穿設された孔部(95)がハウジング(15)の上部前面に突設された突部(158)に係合することにより、ハウジング(15)の前部を補強する。
【００４５】
ラッチ(10)は、バックドア(３)の開閉方向(Ａ)に対してほぼ直角な方向、すなわちストライカ進入方向(Ｂ)及びヒンジ軸線方向(Ｃ)に対してほぼ直角な枢軸方向(Ｄ)を向く段付きのラッチ枢軸(20)をもって、ベースプレート(８)の基部(83)とハウジング(15)の下部との間におけるラッチ組付け領域部(152)に枢支され、バックドア(３)の開扉時に、ストライカ(４)から離脱したオープン位置（図１１参照）にあり、バックドア(３)の閉鎖時に、各ストライカ進入溝(84)(91)(151)に進入したストライカ(４)の係合杆(41)に係合することにより、ラッチ枢軸(20)に巻装されたラッチ用スプリング(12)の付勢力に抗して、オープン位置から図１１において反時計方向へほぼ９０度回動したフルラッチ位置（図１０参照）に回動する。
【００４６】
ラチェット(11)は、ラッチ枢軸(20)と平行なラチェット枢軸(21)をもって、ベースプレート(８)の基部(83)とハウジング(15)の下部との間におけるラチェット組付け領域部(153)に枢支され、バックドア(３)の閉鎖時に、ラチェット用スプリング(13)の付勢力により、図１０に示すように、その爪部(111)が、ラッチ(10)の外周に設けた爪部(101)に係合してラッチ(10)のオープン方向への回動を阻止してバックドア(３)を閉鎖位置に保持し、また、ラチェット用スプリング(13)の付勢力に抗して、図１１に示すリリース位置に回動することにより、ラッチ(10)のオープン方向への回動を自由にして、バックドア(３)の開扉を可能にする。ラチェット(11)が係合位置にあるときは、ラチェット(11)の下端部が、ハウジング(15)に嵌め込まれたゴム等により形成されるストッパ(25)に当接している。
【００４７】
ラチェット(11)の上端部には、後述のようにスプリング組付け領域部(156)に組み付けられるラチェット用スプリング(13)の他端部(132)が前後方向（枢軸方向(Ｄ)）に係合可能な掛止部(113)が設けられている。ラチェット(11)の上部には、ハウジング(15)に設けた開口部(150)を通して車室内に露呈するエマージェンシ操作部(112)が一体的に設けられている。
【００４８】
エマージェンシ操作部(112)の外周には、ゴム等により形成される弾性部材(24)が外嵌されている。この弾性部材(24)は、オープンレバー(14)がエマージェンシ操作部(112)に当接する際の打音を緩和する。さらには、弾性部材(24)を外嵌することにより、ラチェット(11)の回動を規制するストッパ(25)の役割を兼ねることも可能である。なお、弾性部材(24)は、モールド樹脂成型加工をもって、ラチェット(11)に一体的に形成しても良い。
【００４９】
バックドア(３)が閉鎖位置にあるとき、後述のように、モータ(17)の動力によりオープンレバー(14)をリリース作動させることによって、オープンレバー(14)の側部が、弾性部材を介してエマージェンシ操作部(112)に当接して、ラチェット(11)をリリース作動させることができる。また、電気系統またはその他の故障等によって、モータ(17)の動力によりラチェット(11)をリリース作動させることが不能になった非常時には、バックドア(３)のトリム等を外すことなく、車室内に露呈するエマージェンシ操作部(112)を車室内から簡単に手動操作することによって、ラチェット(11)をリリース作動させて、ラチェット(11)とラッチ(10)との係合を解除してバックドア(３)を迅速に開けることができる。
【００５０】
エマージェンシ操作部(112)は、前述のように、オープンレバー(14)のリリース作動をラチェット(11)に伝達する伝達機能と非常時における操作機能との２つの機能を有することにより、ラチェット(11)の形状を簡単にして、構成の簡素化を図ることができる。また、エマージェンシ操作部(112)は、バックプレート(９)のフランジ部(93)より車室内側へ突出しないように設定される。これにより、車室内に積んだ荷物等がエマージェンシ操作部(112)に直接、当たって、エマージェンシ操作部(112)が誤って操作されるような事態を確実に防止することができる。
【００５１】
また、エマージェンシ操作部(112)には、ドライバー等の棒状の工具が差し込み可能な凹部(112a)を設けている。これにより、非常時に、工具をエマージェンシ操作部(112)の凹部(112a)に差し込むことによって、ラチェット(11)を簡単にリリース作動させることができる。
【００５２】
ラッチ枢軸(20)、ラチェット枢軸(21)は、ベースプレート(８)、ハウジング(15)及びバックプレート(９)を貫通して、その前端をバックプレート(９)にカシメ、また、同じく後端をベースプレート(８)にカシメる。これにより、ハウジング(15)がベースプレート(８)とバックプレート(９)との間に挾持された状態で、ベースプレート(８)、ハウジング(15)及びバックプレート(９)が互いに固定される。
【００５３】
図７に示すように、ラッチ(10)のストライカ(４)に噛合するストライカ噛合部分(Ｅ)は、ストライカ進入方向(Ｂ)から見た平面視で、左右の被取付部(81)(82)に設けた雌ねじ孔(81a)(82a)の中心同士を結んだ直線(L1)に一致するように設定される。さらに、好ましくは、図８に示すように、ラッチ(10)の爪部(101)とラチェット(11)の爪部(111)とが係合する係合部分(Ｆ)も、ストライカ進入方向(Ｂ)から見た平面視で、直線(L1)に一致するように設定される。
【００５４】
上述により、バックドア(３)の閉鎖時に、ラッチ装置(１)とストライカ(４)との間に開き方向の荷重が作用した場合、ラッチ(10)及びラチェット(11)を介して、ベースプレート(８)とバックドア(３)との締結部分に作用する荷重(Ｗ)は、雌ねじ部(81a)(82a)に螺合したボルト(５)に真直ぐに作用する。この結果、バックドア(３)におけるインナパネル(31)の取付面(32)及びベースプレート(８)の被取付部(81)(82)の変形を最小限に抑止することができ、ラッチ装置(１)の強度向上を図ることができる。
【００５５】
例えば、ベースプレート(８)とバックドア(３)との締結部分に作用する荷重(Ｗ)が、ボルト(５)に対して斜め方向から作用したり、直線(L1)に対してオフセットした位置に作用したりすると、バックドア(３)におけるインナパネル(31)の取付面(32)及びベースプレート(８)の被取付部(81)(82)が傾くように変形し、強度低下を招く原因となる。
【００５６】
ウォームホイール(19)は、ラッチ枢軸(20)と平行なウォームホイール枢軸(22)をもって、ハウジング(15)の上部とカバー(16)との間のウォームホイール組付け領域部(155)に枢支され、ウォームホイール枢軸(22)に巻装されたスプリング（図示略）により中立位置に常時付勢されている。
【００５７】
主に図１０、１１に示すように、モータ(17)は、ハウジング(15)の上部とカバー(16)との間におけるモータ組付け領域部(154)に、その回転軸(171)の先端部が右斜め下方に向くように配置される。すなわち、モータ(17)の回転軸(171)の軸線(L3)が、正面視で、ラチェット枢軸(21)とウォームホイール枢軸(22)との間を通り、かつ境界線(L2)に対して斜めに交差するように、モータ(17)は、斜めに配置される。
【００５８】
ウォーム(18)は、ラチェット(11)の上部に対向するウォームホイール(19)の外周面に設けられたギヤ部(191)に可逆転可能に噛合し、モータ(17)の動力により回転することによって、ウォームホイール(19)を待機位置からリリース方向（図１０、１１及び図１３において反時計方向）へ回転させる。ウォームホイール(19)は、リリース方向へ回動して、回動位置検出センサ(23)がラッチ(10)のオープン位置を検出してモータ(17)が停止すると、スプリングの付勢力により、再び中立位置に復帰して停止する。
【００５９】
オープンレバー(14)は、下部がラチェット(11)と同軸のラチェット枢軸(21)によりラチェット(11)と独立して揺動可能に枢支されるとともに、ウォーム(18)を跨いで回転軸(171)の軸線(L3)に交差するように上方へ延出し、その上縁に設けられたセクタギヤ部(141)がウォームホイール(19)に設けられた小歯車(192)に噛合する。
【００６０】
バックドア(３)が閉鎖位置あるとき、ウォームホイール(19)がモータ(17)の動力により中立位置からリリース方向へ回動すると、オープンレバー(14)は、待機位置（図１０参照）からリリース方向（図１０において時計方向）へ揺動してリリース位置（図１１参照）に移動する。これに伴い、オープンレバー(14)の側縁が、ラチェット(11)のエマージェンシ操作部(112)の外周面に外嵌された弾性部材(24)を介して、エマージェンシ操作部(112)に当接することによって、ラチェット(11)は、係合位置からリリース位置に揺動する。すなわち、バックドア(３)の閉鎖時に、バックドア(３)の外面に設けた操作スイッチ（図示略）の操作をもって、モータ(17)を駆動させると、このモータ(17)の動力がオープンレバー(14)及びエマージェンシ操作部(112)を介してラチェット(11)に伝達され、ラチェット(11)がリリース作動して、バックドア(３)を開くことができる。
【００６１】
バックドア(３)が開くと、モータ(17)の回転が停止する。これにより、ウォームホイール(19)が中立位置に復帰することに伴って、オープンレバー(14)も待機位置に復帰する。
【００６２】
オープンレバー(14)が待機位置、ラチェット(11)が係合位置にあるときには、オープンレバー(14)の側縁が、ラチェット(11)のエマージェンシ操作部(112)に外嵌した弾性部材(24)に当接している。これにより、オープンレバー(14)のセクタギヤ部(141)とウォームホイール(19)の小歯車(192)の噛合のバックラッシュによる、オープンレバー(14)のガタ付きを抑止する。
【００６３】
ラチェット用スプリング(13)は、ねじコイルばねにより形成され、そのコイル部(131)がスプリング組付け領域部(156)に設けられた軸部(159a)に巻装支持され、一端部が軸部(159a)の近傍に設けられた係止部(159b)に固定され、他端部（遊端部）(132)がラチェット(11)の掛止部(113)に前後方向（枢軸方向(Ｄ)）に係合するように掛止されることによって、ラチェット(11)に対して係合方向の付勢力を付与する。なお、コイル部(131)は、ラチェット(11)及びオープンレバー(14)に干渉することがないように、ラチェット(11)及びオープンレバー(14)の作動領域外に配置される。
【００６４】
上述のように各部品を配置することにより、ラッチ(10)、ラチェット(11)、モータ(17)、ウォームホイール(19)及びオープンレバー(14)をそれぞれ最適な位置に集約して配置することができるため、ストライカ進入方向(Ｂ)及びヒンジ軸線方向(Ｃ)の寸法を小さくすることができ、また、枢軸方向(Ｄ)の厚さも薄くして、ラッチ装置(１)全体の小型化を図ることができる。特に、モータ(17)をモータ組付け領域部(154)に傾けて配置したことによって、モータ(17)とラッチ(10)との間に生成されるスプリング組付け領域部(156)に、ラチェット用スプリング(13)を簡単に組み付けることができるとともに、モータ(17)とラッチ(10)との間のスペースを、ラチェット用スプリング(13)の取り付けスペースとして有効的に活用することができ、ラッチ装置(１)の小型化を図ることができる。
【００６５】
また、ラチェット用スプリング(13)がラチェット(11)及びオープンレバー(14)に対して枢軸方向(Ｄ)に重合することがないため、ラッチ装置(１)の枢軸方向の寸法を薄くすることができる。さらには、ラチェット用スプリング(13)の他端部(132)を、ラチェット(11)の掛止部(113)に前後方向（枢軸方向(Ｄ)）に係合するように掛止させたことによって、ラチェット用スプリング(13)の他端部(132)をラチェット(11)に確実に掛止させることができる。
【００６６】
回動位置検出センサ(23)は、スプリング組付け領域部(156)に配置され、その検出片(231)がラッチ(10)の外周面に摺接することによって、ラッチ(10)の回動位置を検出する。
【００６７】
次に、ラッチ装置(１)の組立て要領について説明する。
先ず、バックプレート(９)にラッチ枢軸(20)、ラチェット枢軸(21)の前端部をカシメ固定した後、バックプレート(９)をハウジング(15)の前面に当てて、ラッチ枢軸(20)、ラチェット枢軸(21)をハウジング(15)の後面側に突出させる。この状態で、図１４に示すように、ハウジング(15)に、ラッチ(10)、ラチェット(11)、ラッチ用スプリング(12)、ラチェット用スプリング(13)、オープンレバー(14)、モータ(17)、ウォームホイール(19)及び回動位置センサ(23)等の部品を組み付けた後、図１５に示すように、ハウジング(15)の上部後面をカバー(16)により閉塞する。次いで、ハウジング(15)の下部後面に、ベースプレート(８)を取り付け、ベースプレート(８)から突出するラッチ枢軸(20)、ラチェット枢軸(21)の後端部をカシメ固定することにより、ラッチ装置(１)の組立てが完了する。
【００６８】
以上、本発明の実施形態について説明したが、本発明の要旨を逸脱しない範囲内で、本実施形態に対して、次のような種々の変形や変更を施すことが可能である。
（ｉ）ラッチ装置(１)を、バックドア(３)以外の開閉体、例えば、車体に上下方向を向くヒンジ軸回りに開閉可能に支持されるサイドドアに適用する。
【００６９】
（ii）ラッチ装置(１)を車体側に取り付け、ストライカ(４)を開閉体側に設ける。
【００７０】
（iii）ベースプレート(８)とハウジング(15)とを一体的に形成する。または、ハウジング(15)とバックプレート(９)とを一体的に形成する。
【図面の簡単な説明】
【００７１】
【図１】本発明を適用したバックドアの下部の縦断側面図である。
【図２】車両の後方から見たラッチ装置の正面図である。
【図３】車両の前方から見たラッチ装置の裏面図である。
【図４】本発明に係わるラッチ装置の分解斜視図である。
【図５】斜め後方から見たラッチ装置の斜視図である。
【図６】斜め前方から見たラッチ装置の斜視図である。
【図７】図２におけるVII−VII線に沿う横断面図である。
【図８】図３におけるVIII−VIIIに沿う横断面図である。
【図９】図３におけるIX−IX線に沿う横断面図である。
【図１０】ベースプレート、カバーを外した状態のラッチ装置の正面図である。
【図１１】ベースプレート、カバーを外した状態のラッチ装置の正面図である。
【図１２】要部の拡大裏面図である。
【図１３】要部の拡大正面図である。
【図１４】ベースプレート、カバーを外した状態のラッチ装置の斜視図である。
【図１５】ベースプレートを外した状態のラッチ装置の斜視図である。
【図１６】ハウジングを外した状態のラッチ装置の斜視図である。
【符号の説明】
【００７２】
(１)ラッチ装置
(２)車体
(３)バックドア（開閉体）
(４)ストライカ
(５)ボルト（締結手段）
(６)噛合部
(７)駆動部
(８)ベースプレート（ベース手段）
(９)バックプレート
(10)ラッチ
(11)ラチェット
(12)ラッチ用スプリング
(13)ラチェット用スプリング
(14)オープンレバー
(15)ハウジング（ベース手段）
(15A)第１領域部側
(15B)第２領域部側
(16)カバー
(17)モータ
(18)ウォーム
(19)ウォームホイール
(20)ラッチ枢軸
(21)ラチェット枢軸
(22)ウォームホイール枢軸
(23)回動位置検出センサ
(24)弾性部材
(25)ストッパ
(31)インナパネル
(32)取付面
(41)係合杆
(61)カバー
(81)(82)被取付部
(81a)(81b)(82a)雌ねじ部（締結手段）
(83)基部
(84)ストライカ進入溝
(85)側片
(86)凹部
(87)部分
(88)折曲片
(91)ストライカ進入溝
(92)張出部
(93)フランジ部
(94)押え片
(95)孔部
(101)爪部
(111)爪部
(112)エマージェンシ操作部
(112a)凹部
(113)掛止部
(131)コイル部
(132)他端部（遊端部）
(141)セクタギヤ部
(150)開口部
(151)ストライカ進入溝
(151a)フランジ部
(152)ラッチ組付け領域部
(153)ラチェット組付け領域部
(154)モータ組付け領域部
(155)ウォームホイール組付け領域部
(156)スプリング組付け領域部
(157)ラジアル軸受部
(157a)凹部
(157b)押さえ部
(157c)抜き孔
(158)突部
(159a)軸部
(159b)係止部
(171)回転軸
(191)ギヤ部
(192)小歯車
(231)検出片
(Ａ)開閉方向
(Ｂ)ストライカ進入方向
(Ｃ)ヒンジ軸線方向
(Ｄ)枢軸方向
(Ｅ)ストライカ噛合部分
(Ｆ)係合部分
(Ｗ)荷重
(L1)締結手段の中心同士を結ぶ直線
(L2)境界線
(L3)回転軸の軸線
【図１】
2008013935.tif 000003
【図２】
2008013935.tif 000004
【図３】
2008013935.tif 000005
【図４】
2008013935.tif 000006
【図５】
2008013935.tif 000007
【図６】
2008013935.tif 000008
【図７】
2008013935.tif 000009
【図８】
2008013935.tif 000010
【図９】
2008013935.tif 000011
【図１０】
2008013935.tif 000012
【図１１】
2008013935.tif 000013
【図１２】
2008013935.tif 000014
【図１３】
2008013935.tif 000015
【図１４】
2008013935.tif 000016
【図１５】
2008013935.tif 000017
【図１６】
2008013935.tif 000018